(57)【特許請求の範囲】
【請求項１】
車輪の付いたシャシ（１）と、Ｘ線発生器と、Ｘ線に敏感な、現像室で現像されるフィルムが入っている複数のカセットのための容器（７）とを含むタイプの可動式放射線写真装置であって、カセットを現像室に運搬するためにカセット容器を可動式放射線写真装置から分離することができ、この容器が転がり手段と操作者用の把持手段とを含み、
シャシ（１）に垂直表面（５）に容器（７）を受けることができるハウジング（６）を含み、そのハウジングが、閉じた状態で容器を保持する手段と、開いた状態で容器を保持する手段と、その閉じた状態と開いた状態の間で容器を傾動させ、可動式放射線写真装置から容器を分離することができるようにする手段とを備え、さらに
ハウジングが、容器の少なくとも１つの突起（２１）と相互作用する少なくとも１つの傾斜部（２２）を含み、この容器の突起が、容器が閉じた状態にあるときには傾斜部の一端（２２ａ）に配列され、容器が開いた状態にあるときには傾斜部上に配列された保持ボス（２３）と接触し、容器および可動式放射線写真装置を分離するために保持ボスを通過することができることを特徴とする可動式放射線写真装置。
【請求項２】
容器が、可動式放射線写真装置から分離されたときに床と接触し、ハウジング内に挿入されたときに床から持ち上がる一対のころ（１８）または支持要素を含むことを特徴とする請求項１に記載の装置。
【請求項３】
容器が、ころ（１８）または支持要素とともに三角形を形成して可動式放射線写真装置から分離している容器を安定させる、床と接触するスタンド（１９）を含むことを特徴とする請求項２に記載の装置。
【請求項４】
容器が、ハウジングに挿入されるときに床から自動的に持ち上がる手段を含むことを特徴とする請求項２または３に記載の装置。
【請求項５】
ハウジングの下側部分で互いに向き合うように突出し、容器（７）の対応する凹部（１５）と相互作用してその周りで前記容器を傾動させることができる２つのフィンガ（１０）から形成されたスピンドルを含むことを特徴とする請求項２、３または４に記載の装置。
【請求項６】
ハウジングの上側部分に配置された、容器を閉じた状態で保持する弾性手段を含むことを特徴とする請求項１ないし５のいずれか一項に記載の装置。
【請求項７】
容器が運搬ハンドル（２０）を含むことを特徴とする請求項１ないし６のいずれか一項に記載の装置。
【請求項８】
前記ハンドルが、ハウジング中に挿入されるように引込み式であることを特徴とする請求項７に記載の装置。
【発明の詳細な説明】
発明の背景
本発明は、患者の体の様々な部位の放射線写真を撮影する、病院で使用するタイプの可動式放射線写真装置に関し、患者を移動させずに、患者の病室内で使用できるようにしたものである。
可動式放射線写真装置は、患者のベッドの近くに移動して、患者の体の診断する部位の写真を撮影することができるようになっている。
可動式放射線写真装置は一般に、車輪の付いたシャシと、Ｘ線発生器と、いくつかのカセットのための箱とを含む。これらのカセットには、それぞれＸ線に敏感なフィルムが入っている。したがって、可動式放射線写真装置は様々な患者の病室を巡回し、その間にカセットを１つずつ使用する。写真を撮影する前にカセットが箱から取り出され、次いで写真を撮影した後で露光されたフィルムを有するカセットが箱に戻される。次いで、露光済みフィルムを有するカセットは、通常病院内にある現像室に操作者によって手動で運搬される。
しかし、カセットの重量はそれぞれ約９００ｇで、それらの現像室への運搬を任された操作者は、それらを１０個ほど運ばなければならない場合もある。この重量は運搬するには重く、カセットが平らな平行６面体の形状を有し、これらを落とさずに約１０個同時に保持することはかなり困難である。落とせば、比較的高価なカセットが破損し、写真を撮影し直さなければならなくなる危険性がある。
したがって、本発明の目的は、上述の欠点を克服することである。
本発明の目的は、落とすことによるカセットのいかなる破損も防止し、操作者の作業の面倒を軽減する可動式放射線写真装置を提案することである。
本発明による可動式放射線写真装置は、車輪の付いたシャシと、Ｘ線発生器と、Ｘ線に敏感な、現像室で現像されるフィルムが入っている複数のカセットのための容器とを含むタイプである。
本カセット容器は、カセットを現像室に運搬するために可動式放射線写真装置から分離することができ、転がり手段と操作者がつかむことができる把持手段を備えている。
従って、操作者は手に持たずに一群のカセットを現像室に運ぶことができる。
発明の簡単な概要
本発明の一実施態様では、可動式放射線写真装置は垂直な面に容器を受けることができるハウジングを含み、このハウジングは、閉じた状態で容器を保持する手段と、開いた状態で容器を保持する手段と、その閉じた状態と開いた状態の間で容器を傾動させ、かつ可動式放射線写真装置から容器を分離することができるようにする手段とを備える。
この容器が、可動式放射線写真装置から分離されたときに床と接触し、ハウジング内に挿入されたときに床から持ち上がる一対のころまたは支持要素を含むのが望ましい。この容器は、ころまたは支持要素とともに三角形を形成して可動式放射線写真装置から分離している容器を安定させる、床と接触するスタンドを含むことができる。
この容器が、ハウジングに挿入されるときに床から自動的に持ち上がる手段を含むことが望ましい。こうして可動式放射線写真装置の転がり抵抗の増大が防止される。
本発明の一実施態様では、可動式放射線写真装置は、ハウジングの下側部分で互いに向き合うように突出し、容器の対応する凹部と相互作用してその周りで前記容器を傾動させることができる２つのフィンガから形成されたスピンドルを含む。
本発明の一実施態様では、可動式放射線写真装置は、ハウジングの上側部分に配置された、容器を閉じた状態で保持する弾性手段を含む。
本発明の好ましい実施態様では、ハウジングは、容器の少なくとも１つの突起と相互作用する少なくとも１つの傾斜部を含み、この容器の突起は、前記容器が閉じた状態にあるときには傾斜部の一端に配列され、容器が開いた状態にあるときには傾斜部上に配列された保持ボスと接触し、容器および可動式放射線写真装置を分離するために保持ボスを通過することができる。
本発明の一実施態様では、容器は運搬ハンドルを含む。このハンドルは、ハウジング中に挿入し、可動式放射線写真装置の使用を妨げるはみ出した部分ができるのを回避するように引込み式にすることができる。
本発明により、閉じた状態と、例えばカセットを取り出したり、中に入れたりする開いた状態と、カセットを現像室に運搬するための可動式放射線写真装置から分離している状態とにすることができる、放射線写真装置から脱着可能なカセット容器が得られる。
【図面の簡単な説明】
非制限的な例示を目的としてとった添付の図面によって例示する実施形態の詳細な説明を検討すれば、本発明はよりよく理解されるであろう。
第１図は、互いに分離した可動式放射線写真装置および脱着可能な容器を示す斜視図である。
第２図は、開いた状態にある容器を備えた可動式放射線装置を示す斜視図である。
第３図は、容器が閉じた状態にある、第２図と同様の図である。
第４図は、傾斜部の側面を示す概略図である。
発明の詳細な説明
図面から分かるように、可動式放射線写真装置は、一対の固定軸の後輪２と１つの回転する前輪３によって床に置かれるシャシ１を含む。シャシ１は上面４および後面５を含む。上面４上に、放射線写真操作を制御するキーボード（図示せず）、Ｘ線発生器を支持し、患者の体に接近させるための連接アーム（図示せず）を備えることができる。後面５は中空になっており、可動式コンテナ７を受けるためのハウジング６が形成されている。基本的に平行６面体の形状のハウジング６は、背面８、および第１図ではそのうちの一方しか見えない２つの側壁９を含む。ハウジング６の各側壁９の下側部分は、ハウジング６の内側に向かって突出した円柱フィンガ１０を備えている。そのフィンガは基本的に長さに相当する直径を有し、壁面９に対して垂直である。２つのフィンガ１０は同軸であり、ピボット・スピンドルを形成する。
ハウジング６と一致する形状を有する容器７は、可動式放射線写真装置で使用するＸ線に敏感なフィルムが入っているカセットを受けるための中空の上面１１を含む。露光済みフィルムはその後現像処理を受ける。
容器７も、後面１２、ならびに２つの側面１３および１４を有する。側面１３はその下端に、ハウジング６のフィンガ１０と相互作用する凹部１５を含む。側面１４も、凹部１５と同様の凹部を含む。容器７は前面１６を含み、その下端付近にはころ１８を支持する２本の脚１７が取り付けられている。脚１７は前面１６の下端より下まで延び、容器７が可動式放射線写真装置から分離したときに床と接触する（第１図）。
一方、後面１２側には、容器７は、床と接触してころ１８とともに三角形の支持体を形成するスタンド１９を設けてある。容器７は、上面１４から上方に突出したハンドル２０も含む。ハンドル２０は固定されているが、操作者が偶然に引っかかることがないように引込み式ハンドルとすることもできる。
写真を撮影するときには、放射線写真装置は第３図に示す状態であり、容器７はそのハウジング６中にはめ込まれ、閉じている。この場合には、ころ１８およびスタンド１９は床から持ち上がり、放射線写真装置の前進に対する抵抗を不必要に増大させないようになっている。
写真を撮影した後、操作者は、ハンドル２０を用いて、その上端を後方に傾動させ、下端を凹部１５でピボット・フィンガ１０の周りに回転させることにより、容器７を開く。次いで操作者は、露光済みフィルムを有するカセットを容器７中に置く。既に使用したカセットと空のカセットの区別を容易にするために、容器７の中空面１１によって形成される空間を２つの部分に分割し、一方を既に使用したカセット用、もう一方を空のカセット用とすることができる。その後、放射線写真装置は第２図に示す状態となる。最後に、操作者は引き続き容器７のハンドル２０を引くことができ、これにより第１図に示すように、放射線写真装置および容器７が完全に分離することができる。
容器７の側面１３は、第４図にその側面図を示すハウジング６の内側に設けられた傾斜部と相互作用することができる突起２１を備える。傾斜部２２は丸みを帯びた形状をしており、容器７の側面１３の突起２１の軌道と相互作用する。突起２１が位置Ａ、すなわち傾斜部２２の底部２２ａにあるときには、容器７は第３図に示す閉じた状態にある。その後、容器が開いた状態とされると、突起２１はボス２３に近い位置Ｂになる。傾斜部２２上に配列されたボス２３は、容器７および放射線写真装置を完全に分離せず、第２図に示す開いた状態で容器７を保持するために、突起２１用の止め具として働く。
操作者は、完全に分離しようとするときには、容器７をわずかに持ち上げ、突起２１がボス２３を通過するようにしなければならない。第１図から分かるように、このようにわずかに持ち上げることは、凹部１５とピボット・フィンガ１０の相互作用と両立する。ボス２３を通過した後で、突起２１は位置Ｃになり、傾斜部２２から離れ、その後容器７が放射線写真装置から分離する。
容器７の放射線写真装置への挿入は、反対に実行する。操作者は、ハンドル２０で容器７を保持し、これをハウジング６に向ける。次いで、容器７を傾け、ハウジング６への挿入を容易にし、容器７を持ち上げる必要がないようにピボット・フィンガ１０でてこの効果を利用して、ころ１８が床から持ち上がるようにすることができる。その後操作者は、容器を開いた状態のままにしておくか、または再度完全に閉じるかを選択する機会を得る。容器７を閉じた状態で保持するために、ハウジング６の頂部に配置された弾性タングなどの保持手段を設け、容器７が不時に開くことを防止することができる。
本発明により、現像室へのカセットの運搬の面倒を軽減し、落としてカセットが破損する危険性を低下させる、放射線写真装置への挿入およびこれからの取出しが容易な脱着可能容器を備えた可動式放射線写真装置が得られる。
【図１】
0003869472.tif 000002
【図２】
0003869472.tif 000003
【図３】
0003869472.tif 000004
【図４】
0003869472.tif 000005